(57)【要約】【課題】天井高を高く設定しても通気路を確保することができ、滞りなく屋根の換気をすることができるとともに、室内への熱の侵入を効率良く防ぐことができる屋根構造を提供することを目的とする。【解決手段】建物躯体Ｂの上部に設けられる屋根１の構造Ａにおいて、屋根１の裏面側に遮熱材２を設けており、この遮熱材２は、屋根１の野地板１ａの裏面に取り付けられた遮熱材本体２ａと、屋根１の軒先部１ｂに取り付けられた軒先側遮熱材２ｂとを備えており、この軒先側遮熱材２ｂを、屋根１の野地板１ａの裏面との間に所定の間隔Ｋをもって配置することによって、この軒先側遮熱材２ｂと野地板１ａの裏面との間に通気路３を形成していることを前記課題の解決手段とした。【選択図】図１
2006077420.tif 000002
【特許請求の範囲】
【請求項１】
建物躯体の上部に設けられる屋根の構造において、
屋根の裏面側に遮熱材が設けられており、
この遮熱材は、屋根の野地板の裏面に取り付けられた遮熱材本体と、屋根の軒先部に取り付けられた軒先側遮熱材とを備えており、
この軒先側遮熱材が、屋根の野地板の裏面との間に所定の間隔をもって配置されることによって、この軒先側遮熱材と野地板の裏面との間に通気路が形成されていることを特徴とする屋根構造。
【請求項２】
請求項１に記載の屋根構造において、
前記屋根は、建築用屋根パネルによって構成されていることを特徴とする屋根構造。
【請求項３】
請求項２に記載の屋根構造において、
前記建築用屋根パネルは、框材を矩形枠状に組み立ててなる矩形枠の上面に、野地板となる面材を取り付けて形成されており、
前記軒先側遮熱材は前記矩形枠に固定されていることを特徴とする屋根構造。
【請求項４】
請求項１〜３のいずれか一項に記載の屋根構造において、
前記軒先側遮熱材と野地板の裏面との間隔は、前記遮熱材本体の厚さより大きいことを特徴とする屋根構造。
【請求項５】
請求項１〜４のいずれか一項に記載の屋根構造において、
建物躯体の外壁の上端部に、前記屋根の軒先部が前記軒先側遮熱材の先端部を前記外壁の上方に位置するようにして設置されており、
前記遮熱材と天井との間に天井断熱材が設けられていることを特徴とする屋根構造。
【発明の詳細な説明】
【技術分野】
【０００１】
本発明は、建物躯体の上部に設けられる屋根の構造に関する。
【背景技術】
【０００２】
従来より、室内空間の断熱性を確保するために、天井板の上面にはグラスウール等の断熱材が敷き込まれている。また、小屋裏空間の換気のため、天井と屋根とが交差する取合部には通気スペースが設けられている。
【０００３】
ところが、住宅の気密性および断熱性を向上させるために、天井板の上面に敷き込まれる断熱材の厚みを大きくすると、天井と屋根とが交差する部分が断熱材によって塞がれてしまい、小屋裏空間の換気のための通気スペースを確保できない場合があった。
【０００４】
そこで、野地板の裏側の隣り合う垂木間に、ダンボール、厚紙等の比較的硬質の紙や比較的軟質のプラスティック板等からなる通気用のスペーサーを設置することによって、天井板の上面に敷き込まれた断熱材の端部を押さえ込み、小屋裏空間の換気のための通気スペースを確保する技術が開発されている（例えば、特許文献１参照。）。
【特許文献１】特開２００１−０４０７８９号公報
【発明の開示】
【発明が解決しようとする課題】
【０００５】
ところで、近年、室内空間において開放感を得るために、天井高を出来るだけ高く設定したいという要望がある。
しかしながら、単に天井板を高くして天井高を確保するような場合、前記特許文献１のようなダンボール等からなる通気用のスペーサーが、天井板の上面に敷き込まれた断熱材によって圧迫され、通気スペースが塞がれてしまうおそれがあった。
これに対して、前記通気用のスペーサーを圧迫しないように、天井板の上面に敷き込んだ断熱材を薄くして天井を高くする場合には、断熱効果を低減させてしまうおそれもあった。
【０００６】
本発明の課題は、天井高を高く設定しても通気路を確保することができ、滞りなく屋根の換気をすることができるとともに、室内への熱の侵入を効率良く防ぐことができる屋根構造を提供することを目的とする。
【課題を解決するための手段】
【０００７】
請求項１記載の発明は、例えば図１に示すように、建物躯体Ｂの上部に設けられる屋根１の構造Ａにおいて、
屋根１の裏面側に遮熱材２を設けており、
この遮熱材２は、屋根１の野地板１ａの裏面に取り付けられた遮熱材本体２ａと、屋根１の軒先部１ｂに取り付けられた軒先側遮熱材２ｂとを備えており、
この軒先側遮熱材２ｂを、屋根１の野地板１ａの裏面との間に所定の間隔Ｋをもって配置することによって、この軒先側遮熱材２ｂと野地板１ａの裏面との間に通気路３を形成していることを前記課題の解決手段とした。
【０００８】
請求項１記載の発明によれば、屋根１の裏面側に遮熱材２を設けており、この遮熱材２は、屋根１の野地板１ａの裏面に取り付けられた遮熱材本体２ａと、屋根１の軒先部１ｂに取り付けられた軒先側遮熱材２ｂとを備えており、この軒先側遮熱材２ｂを、屋根１の野地板１ａの裏面との間に所定の間隔Ｋをもって配置することによって、この軒先側遮熱材２ｂと野地板１ａの裏面との間に通気路３を形成していることから、滞りなく屋根１の換気をすることができるとともに、室内Ｂ１への熱の侵入を防ぐことができる。
すなわち、屋根１の野地板１ａの裏面に遮熱材本体２ａを取り付け、屋根１の軒先部１ｂに軒先側遮熱材２ｂを取り付けており、しかも、この軒先側遮熱材２ｂを前記野地板１ａの裏面との間に所定の間隔Ｋをもって配置することによって通気路３を形成していることから、この通気路３に空気を通過させて換気することで屋根１の熱を放熱することができ、その上、前記遮熱材２によって遮熱も行うことができるので、室内Ｂ１への熱の進入を効率良く防ぐことができる。
また、このように室内Ｂ１への熱の侵入を効率良く防ぐことができることから、天井板１２ａ上面に設ける断熱材４を薄くして設けたとしても、従来とは異なり、断熱効果を低減させることが無く、薄くして設けた断熱材４によって前記軒先側遮熱材２ｂを圧迫してしまうことも無くなる。
【０００９】
請求項２記載の発明は、例えば図１および図２に示すように、請求項１に記載の屋根構造Ａにおいて、
前記屋根１を、建築用屋根パネル１０によって構成していることを前記課題の解決手段とした。
【００１０】
請求項２記載の発明によれば、前記屋根１を、建築用屋根パネル１０によって構成していることから、この建築用屋根パネル１０に、予め遮熱材２を取り付けておくことができるので作業効率が良く、また、建物躯体Ｂが前記屋根１と同質のパネルで構成されたものである場合に、屋根１と建物躯体Ｂとを容易に連結することができる。
【００１１】
請求項３記載の発明は、例えば図１および図２に示すように、請求項２に記載の屋根構造Ａにおいて、
前記建築用屋根パネル１０を、框材１０ｄ、１０ｅを矩形枠状に組み立ててなる矩形枠１０ｃの上面に、野地板１ａとなる面材１０ａを取り付けて形成しており、
前記軒先側遮熱材２ｂを前記矩形枠１０ｃに固定していることを前記課題の解決手段とした。
【００１２】
請求項３記載の発明によれば、前記建築用屋根パネル１０を、框材１０ｄ、１０ｅを矩形枠状に組み立ててなる矩形枠１０ｃの上面に、野地板１ａとなる面材１０ａを取り付けて形成しており、前記軒先側遮熱材２ｂを前記矩形枠１０ｃに固定していることから、前記軒先側遮熱材２ｂを、前記矩形枠１０ｃの上面に取り付けた面材１０ａから所定の間隔Ｋをあけた位置に、確実、かつ容易に取り付け固定することができる。したがって、前記軒先側遮熱材２ｂと前記面材１０ａとの間に通気路３を確保することができ、滞りなく建築用屋根パネル１０の換気をすることができる。
【００１３】
請求項４記載の発明は、例えば図１に示すように、請求項１〜３のいずれか一項に記載の屋根構造Ａにおいて、
前記軒先側遮熱材２ｂと野地板１ａの裏面との間隔Ｋは、前記遮熱材本体２ａの厚さＨより大きいことを前記課題の解決手段とした。
【００１４】
請求項４に記載の発明によれば、前記軒先側遮熱材２ｂと野地板１ａの裏面との間隔Ｋは、前記遮熱材本体２ａの厚さＨより大きいことから、前記遮熱材本体２ａの厚さＨと、前記軒先側遮熱材２ｂの取り付け位置との差異を利用して通気路３を形成することができる。すなわち、例えば、前記遮熱材本体２ａの厚さＨよりも、前記軒先側遮熱材２ｂと野地板１ａの裏面との間隔Ｋの方が小さかった場合には、通気路３が前記遮熱材本体２ａによって塞がれてしまい、換気をすることができない状態となる。また、このように、前記遮熱材本体２ａによって通気路３を塞がないようにするために、前記遮熱材本体２ａと前記軒先側遮熱材２ｂとの間を離して取り付けたとしても、前記軒先側遮熱材２ｂと野地板１ａの裏面との間隔Ｋが小さければ、通気路３自体も狭められてしまい、換気しにくい状態となってしまう。
したがって、前記軒先側遮熱材２ｂを取り付ける際に、この軒先側遮熱材２ｂと野地板１ａの裏面との間隔Ｋを、前記遮熱材本体２ａの厚さＨよりも大きくすることによって、前記通気路３が塞がれることが無くなるので、滞りなく屋根１の換気をすることが可能となる。
【００１５】
請求項５記載の発明は、例えば図１に示すように、請求項１〜４のいずれか一項に記載の屋根構造Ａにおいて、
建物躯体Ｂの外壁Ｂ２の上端部に、前記屋根１の軒先部１ｂを、前記軒先側遮熱材２ｂの先端部が前記外壁Ｂ２の上方に位置するようにして設置しており、
前記遮熱材２と天井１２との間に天井断熱材４を設けていることを前記課題の解決手段とした。
【００１６】
請求項５記載の発明によれば、建物躯体Ｂの外壁Ｂ２の上端部に、前記屋根１の軒先部１ｂを、前記軒先側遮熱材２ｂの先端部が前記外壁Ｂ２の上方に位置するようにして設置しており、前記遮熱材２と天井１２との間に天井断熱材４を設けていることから、この天井断熱材４によって通気路３を塞ぐこと無く、建物躯体Ｂの外壁Ｂ２の上端部付近から前記軒先側遮熱材２ｂの通気路３に空気を通過させて、屋根１の換気をすることができ、さらには、この天井断熱材４によって断熱することができるので、室内Ｂ１への熱の侵入を効率良く防ぐことが可能となる。
【発明の効果】
【００１７】
本発明の屋根構造によれば、屋根の野地板の裏面に遮熱材本体を取り付け、屋根の軒先部に軒先側遮熱材を取り付けており、しかも、この軒先側遮熱材を前記野地板の裏面との間に所定の間隔をもって配置することによって通気路を形成していることから、滞りなく屋根の換気をすることができ、また、このように換気することによって前記通気路に空気を通過させて放熱することができ、その上、前記遮熱材によって遮熱も行うことができるので、室内への熱の進入を効率良く防ぐことができる。
さらに、前記遮熱材と天井との間に天井断熱材を設けていることから室内への熱の侵入を断つことができ、この断熱作用と、前記通気路による放熱作用および前記遮熱材による遮熱作用との相乗効果によって、室内への熱の侵入をさらに効率良く防ぐことができる。
【発明を実施するための最良の形態】
【００１８】
以下、図面を参照して本発明に係る屋根構造Ａの実施の形態について説明する。
【００１９】
本実施の形態の屋根構造Ａは、図１に示すように、建物躯体Ｂの上部に設けられる屋根１の構造Ａにおいて、
屋根１の裏面側に遮熱材２が設けられており、
この遮熱材２は、屋根１の野地板１ａの裏面に取り付けられた遮熱材本体２ａと、屋根１の軒先部１ｂに取り付けられた軒先側遮熱材２ｂとを備えており、
この軒先側遮熱材２ｂが、屋根１の野地板１ａの裏面との間に所定の間隔Ｋをもって配置されることによって、この軒先側遮熱材２ｂと野地板１ａの裏面との間に通気路３が形成されている。
【００２０】
前記屋根１は、建築用屋根パネル１０によって構成されており、この建築用屋根パネル１０は、框材１０ｄ、１０ｅを矩形枠状に組み立ててなる矩形枠１０ｃの上面に、野地板１ａとなる面材１０ａを取り付けて形成されている。
前記建築用屋根パネル１０が用いられることによって、工場等で、予め遮熱材２を取り付けておくことができるので、作業効率を向上させることが出来て好ましい。また、前記建物躯体Ｂが、この建築用屋根パネル１０と同質のパネルで構成されたものである場合に、これら建築用屋根パネル１０と建物躯体Ｂとを容易に連結することができる。
【００２１】
なお、本実施の形態の屋根構造Ａおよび建物躯体Ｂは、上述のようにパネル工法によって構築するが、これに限られるものではなく、例えば、軸組工法等でも良く、本発明の要旨を逸脱しない範囲で適宜変更可能である。
また、本実施の形態の建物躯体Ｂは、天井１２直下の室内Ｂ１の天井高が高く設定されており、この室内空間Ｂ１において、例えば吹抜け空間のような広々とした開放感が得られるように構成されている。
【００２２】
前記遮熱材２は、矩形状に形成された板材であり、建築用屋根パネル１０の裏面側に取り付けられている。この板材としては、グラスウールやロックウール等の無機繊維状物質を板状に固めて成形した繊維系断熱ボードのように、断熱効果を有するものが好ましく、その表面にアルミやガラスクロス等の遮熱効果を有するものを貼り付けることによって、遮熱・断熱効果を高めるようにすれば更に望ましい。
また、従来とは異なって、強度においても優れており、天井板１２ａの上面に敷き込まれた断熱材によって圧迫されること無く、通気路３を確保することができる。
【００２３】
前記遮熱材本体２ａは、図１に示すように、前記面材１０ａの裏面に取り付けられており、建築用屋根パネル１０の棟（図示せず）に至る範囲にわたって取り付けられている。すなわち、後述する軒先側遮熱材２ｂが取り付けられていない部位において、この遮熱材本体２ａが取り付けられ、建築用屋根パネル１０の遮熱効果を向上させている。
【００２４】
前記軒先側遮熱材２ｂは、図１に示すように、前記建築用屋根パネル１０の軒先部１０ｂに取り付けられており、図２に示すように、前記建築用屋根パネル１０の面材１０ａの裏面との間に所定の間隔Ｋをもって配置され、前記矩形枠１０ｃに固定されている。また、この軒先側遮熱材２ｂの両側端部には、予め支持部材５、５が取り付けられており、これら支持部材５、５を介して前記軒先側遮熱材２ｂと前記矩形枠１０ｃとが強固に固定されている。
このように前記軒先側遮熱材２ｂを前記矩形枠１０ｃに固定していることから、前記軒先側遮熱材２ｂを前記建築用屋根パネル１０に対して、前記面材１０ａから所定の間隔Ｋをあけて確実、かつ容易に取り付けることができる。したがって、前記軒先側遮熱材２ｂと前記面材１０ａとの間に通気路３を確保することができ、滞りなく建築用屋根パネル１０の換気をすることができる。
【００２５】
一方、建物躯体Ｂの外壁パネル１１の上端部に、前記軒先部１０ｂが前記軒先側遮熱材２ｂの先端部を前記外壁パネル１１の上方に位置するようにして設置され、前記通気路３は、前記外壁パネル１１の上方に位置する軒先側遮熱材２ｂの先端部から前記建築用屋根パネル１０の棟（図示せず）方向に向かって形成されている。また、前記軒先側遮熱材２ｂと面材１０ａの裏面との間隔Ｋは、前記遮熱材本体２ａの厚さＨより大きくなるように配置されているので、前記軒先側遮熱材２ｂと前記遮熱材本体２ａとの取り付け位置の差異を利用して通気路３が形成され、前記軒先側遮熱材２ｂの先端部から空気が滞りなく通過できるような構造となっている。
【００２６】
さらに、前記遮熱材２と天井１２との間に設けられた天井断熱材４は、図１に示すように、天井板１２ａの上面に敷き込まれているので、前記遮熱材２の遮熱効果および前記通気路３の放熱効果と相まって、室内Ｂ１への熱の侵入を効率良く防ぐことが可能となる。
また、このように室内Ｂ１への熱の侵入を効率良く防ぐことができることから、従来とは異なり、天井板１２ａ上面の断熱材４を薄くして設けたとしても断熱効果を低減させることが無いので、天井板１２ａ上面に設ける断熱材４によって前記軒先側遮熱材２ｂを圧迫してしまうことも無い。
【００２７】
なお、前記天井断熱材４としては、例えば、グラスウールやロックウール等の無機繊維状物質、合成樹脂等を原料とする断熱材等が挙げられるが、これらに限られるものではなく、本発明の要旨を逸脱しない範囲で適宜変更可能である。
【００２８】
以上のような構成の屋根構造Ａを構築するには、まず、予め工場等において前記建築用屋根パネル１０や外壁パネル１１を製作する。この時、前記建築用屋根パネル１０および外壁パネル１１に、予め取り付けられるものは取り付けておくようにする。
【００２９】
前記建築用屋根パネル１０には、図１に示すように、前記面材１０ａの裏面に遮熱材本体２ａを取り付け、この遮熱材本体２ａの厚さ分Ｈよりも大きく前記面材１０ａとの間隔Ｋをあけて軒先側遮熱材２ｂを取り付けておくようにする。
この時、前記軒先側遮熱材２ｂの両側端部には支持部材５、５が取り付けられており、この支持部材５、５を前記矩形枠１０ｃに固定することで、前記軒先側遮熱材２ｂと前記矩形枠１０ｃとを固定することができるようになっている。また、固定には釘等を用いて行なう。
【００３０】
前記外壁パネル１１には、この外壁パネル１１の軒先部１０ｂ側表面には、上端部が所定高さ、すなわち、軒天井１１ａが配設される高さとなるようにサイディング材１１ｂを取り付けておく。また、このサイディング材１１ｂの上端面には、後述する軒天井１１ａを設置するための取付部材１１ｃを取り付けておく。
【００３１】
そして、現場において前記外壁パネル１１を建て込むとともに、前記建築用屋根パネル１０を、軒先部１０ｂ側に跳ね出した状態にして、前記外壁パネル１１の上端部に結合桁１１ｄを介して支持させる。
【００３２】
また、前記外壁パネル１１の室内側Ｂ１壁面には、耐火性の石膏ボードや壁紙等の内壁材１１ｅを取り付け、この内壁材１１ｅの所定の高さ位置に天井板１２ａを取り付ける。さらに、この天井板１２ａの上面と前記遮熱材２との間に、前記通気路３を塞がないようにしながら天井断熱材４を設ける。
前記天井板１２ａの取り付け位置については、前記天井断熱材４を敷き込むことができる範囲で、出来るだけ高くして、室内Ｂ１における開放感等を得ることができるように設定することが望ましい。
【００３３】
次に、建築用屋根パネル１０の軒先側端部に勾配調整材１３を釘等によって固定し、この勾配調整材１３に鼻隠１４を釘等によって固定する。さらに鼻隠１４には、軒樋１５を釘等によって取り付ける。
【００３４】
一方、前記建築用屋根パネル１０の一部が跳ね出している軒先部１０ｂには、この軒先部１０ｂの天井となる軒天井１１ａを取り付ける。この際、前記鼻隠１４に形成された取付部１４ａと、前記サイディング材１１ｂの上端面に取り付けられた取付部材１１ｃとの間に架け渡して、水平になるように取り付けるようにする。
【００３５】
以上のように構築することで、図１に示すような建物躯体Ｂの上部に設けられる屋根構造Ａを完成させることができる。
【００３６】
本実施の形態の屋根構造Ａによれば、建築用屋根パネル１０の面材１０ａの裏面に遮熱材本体２ａを取り付け、建築用屋根パネル１０の軒先部１０ｂに軒先側遮熱材２ｂを取り付けており、しかも、この軒先側遮熱材２ｂを前記面材１０ａの裏面との間に所定の間隔Ｋをもって配置することによって通気路３を形成していることから、滞りなく建築用屋根パネル１０の換気をすることができ、また、このように換気することによって前記通気路３に空気を通過させて放熱することができ、その上、前記遮熱材２によって遮熱も行うことができるので、室内Ｂ１への熱の進入を効率良く防ぐことができる。
さらに、前記遮熱材２と天井１２との間に天井断熱材４を設けていることから室内Ｂ１への熱の侵入を断つことができ、この断熱作用と、前記通気路３による放熱作用および前記遮熱材２による遮熱作用との相乗効果によって、室内Ｂ１への熱の侵入をさらに効率良く防ぐことができる。
【実施例１】
【００３７】
以下、図面を参照して本発明に係る屋根構造Ａの実施例を説明する。
なお、説明の便宜上、本実施例の屋根構造Ａ１については上述した実施の形態における屋根構造Ａの異なる構成部分のみについて説明する。
【００３８】
本実施例の屋根構造Ａ１は、図３（ａ）に示すように、屋根１の裏面側に設けられる遮熱材２のうち、軒先側遮熱材２ｂが、複数の支持部材５ａを介して野地板１ａの裏面との間に所定の間隔Ｋをもって配置されており、前記野地板１ａと前記軒先側遮熱材２ｂとの間および複数の支持部材５ａどうし間に通気路３が形成されている。
【００３９】
前記支持部材５ａは、図３（ｂ）に示すように、角柱状に形成されており、前記軒先側遮熱材２ｂの表面に一定の間隔をあけて、かつ、本実施例では１枚の軒先側遮熱材２ｂに対して４つの支持部材５ａが取り付けられている。
【００４０】
このように、前記支持部材５ａが取り付けられていることで、通気路３の通気方向が一方向だけに限定されない構造となる。
【００４１】
なお、これら支持部材５ａと軒先側遮熱材２ｂとの取り付けに際しては、釘打ちや接着剤による取り付け方法等、任意の取り付け方法で良い。
また、これら支持部材５ａと軒先側遮熱材２ｂとは、予め工場等で取り付けて、一体的に形成しておくことによって、現場での作業性を向上させることができるので好ましい。
さらに、これら支持部材５ａの個数および取り付け間隔については、通気効果を著しく低下させない範囲で適宜変更可能である。
【００４２】
以上のような屋根構造Ａ１によれば、前記軒先側遮熱材２ｂを、複数の支持部材５ａを介して、前記野地板１ａの裏面との間に所定の間隔Ｋをもって配置して、前記野地板１ａと前記軒先側遮熱材２ｂとの間および複数の支持部材５ａどうし間に通気路３を形成していることから、複数の方向から空気を取り込むことができるとともに、複数の方向に対して通気させることができるので、屋根１の放熱効果を格段に向上させることができる。
さらに、上述の実施の形態でも示したように、前記遮熱材２と天井１２との間に天井断熱材４を設けていることから室内Ｂ１への熱の侵入を断つことができ、この断熱作用と、前記通気路３による放熱作用および前記遮熱材２による遮熱作用との相乗効果によって、室内Ｂ１への熱の侵入をさらに効率良く防ぐことができる。
【図面の簡単な説明】
【００４３】
【図１】本発明の屋根構造の一例を示す側断面図である。
【図２】図１に示す屋根構造を構成する建築用屋根パネルのＣ−Ｃ断面図である。
【図３】本発明の屋根構造の一例を示し、（ａ）は軒先側遮熱材が角柱状の支持部材を介して取り付けられていることを示す側断面図であり、（ｂ）は角柱状の支持部材を示す斜視図である。
【符号の説明】
【００４４】
Ａ  屋根構造
Ｂ  建物躯体
１  屋根
２  遮熱材
２ａ  遮熱材本体
２ｂ  軒先側遮熱材
３  通気路
４  天井断熱材
１０  建築用屋根パネル
１１  外壁パネル
【図１】
2006077420.tif 000003
【図２】
2006077420.tif 000004
【図３】
2006077420.tif 000005